(57)【要約】【課題】入射面の位置に影響されることなく、光を広範囲に照射することができる導光体を得る。【解決手段】第１の入射面１１から入射した光Ｌ１が出射する第１の出射面８に加えて、第２の入射面１２から入射した光Ｌ２を出射する第２の出射面１０を備え、且つ、第２の入射面１２から第２の出射面１０へ至る間に、光を光軸Ｋから離れる方向に反射する第１の反射面９と光を第１の反射面９で反射された光を第２の出射面１０へ反射する第２の反射面１３とが設けられている。したがって、第２の入射面１２の位置に影響されることなく、光を広範囲に照射することができる。【選択図】図１
2008166072.tif 000002
【特許請求の範囲】
【請求項１】
裏面側に光源が配置される底壁部と、
前記底壁部のおもて面の周縁部に立設された第１の筒部と、
前記底壁部の裏面に形成され、前記光源から出射された光の一部が入射する第１の入射面と、
前記底壁部の裏面において前記第１の入射面の周囲に形成され、前記光源から出射された光の一部が入射する第２の入射面と、
前記光源および前記第１の入射面を通り前記第１の筒部の中心軸線と略平行な光軸上に配置され、前記第１の入射面に入射した光が出射する第１の出射面と、
前記第１の筒部の頂面に形成され、光が出射する第２の出射面と、
前記第２の入射面に入射した光を前記光軸から離れる方向に反射する第１の反射面と、
前記第１の反射面で反射された光を前記第２の出射面に向けて反射する第２の反射面と、
を備えることを特徴とする導光体。
【請求項２】
前記第１の出射面は、前記底壁部のおもて面に形成されて、前記第１の筒部の中心軸線上に位置しており、
前記第２の出射面は、前記第１の筒部の頂面の全周に亘る環状に形成されていることを特徴とする請求項１に記載の導光体。
【請求項３】
前記底壁部に対して離間した位置で前記第１の筒部の内部に配設され、前記底壁部を覆うカバー部材を備え、
前記第１の出射面は、前記カバー部材に形成されていることを特徴とする請求項１に記載の導光体。
【請求項４】
前記底壁部のおもて面に立設され前記第１の筒部の内部に位置し前記第１の筒部と平行な第２の筒部と、
前記第２の筒部の頂面の全周に亘る環状に形成され、光が出射する第３の出射面と、
前記第１の反射面で反射された光を前記第３の出射面に向けて反射する第３の反射面と、
を備え、
前記第１の出射面は、前記第１の筒部の径方向で前記第１の筒部と前記第２の筒部との間に位置した状態で前記第１の筒部の周方向に沿って複数設けられ、
前記第２の出射面は、前記第１の筒部の頂面の全周に亘る環状に形成されていることを特徴とする請求項１又は３に記載の導光体。
【請求項５】
前記底壁部のおもて面に立設され前記第１の筒部の内部に位置し前記第１の筒部と平行な第２の筒部と、
前記第２の筒部の頂面の全周に亘る環状に形成され、光が出射するた第３の出射面と、
前記第１の反射面で反射された光を前記第３の出射面に向けて反射する第３の反射面と、
前記底壁部のおもて面に立設され前記第１の筒部と前記第２の筒部との間に位置し前記第１の筒部と平行な第３の筒部と、
を備え、
前記第１の出射面は、前記第３の筒部の頂面に第３の筒部の周方向に沿って複数形成され、
前記第２の出射面は、前記第１の筒部の頂面の全周に亘る環状に形成されていることを特徴とする請求項１に記載の導光体。
【請求項６】
光源と、
この光源から入射された光を出射する導光体と、
を備える車両用灯具において、
前記導光体は、
裏面側に前記光源が配置される底壁部と、
前記底壁部のおもて面の周縁部に立設された第１の筒部と、
前記底壁部の裏面に形成され、前記光源から出射された光の一部が入射する第１の入射面と、
前記底壁部の裏面において前記第１の入射面の周囲に形成され、前記光源から出射された光の一部が入射する第２の入射面と、
前記光源および前記第１の入射面を通り前記第１の筒部の中心軸線と略平行な光軸上に配置され、前記第１の入射面に入射した光が出射する第１の出射面と、
前記第１の筒部の頂面に形成され、光が出射する環状の第２の出射面と、
前記第２の入射面に入射した光を前記光軸から離れる方向に反射する第１の反射面と、
前記第１の反射面で反射された光を前記第２の出射面に向けて反射する第２の反射面と、
を備え、
前記導光体は、複数個設けられ、
相互に隣接する前記導光体の前記第２の出射面の一部同士が前記光軸方向に重ねられていることを特徴とする車両用灯具。
【発明の詳細な説明】
【技術分野】
【０００１】
本発明は、導光体およびこの導光体を備える車両用灯具に関する。
【背景技術】
【０００２】
車両用灯具としては、例えば、ハイマウントストップランプ、ストップランプ、ターンシグナルランプ、テールランプなどがある。
【０００３】
この種の車両用灯具に用いられる導光体として、特許文献１には、単一のＬＥＤの光を、入射面としての凸面とこの凸面の周囲に形成された入射面としての凹面とによって内部に取り入れる構造のレンズカット部が開示されている。
【０００４】
このレンズカット部にあっては、凸面から入射した光は、そのままレンズ内を通過してレンズカット部の前面から出射する一方、凹面から入射した光は、反射面によって反射された後、レンズカット部の前面から取り出される。かかる構造では、凹面を内側（ＬＥＤ側）に寄せることにより、光がより拡散するとされている。
【特許文献１】特開昭６０−１３０００１号公報（２頁、第３図）
【発明の開示】
【発明が解決しようとする課題】
【０００５】
しかしながら、特許文献１に記載の上記技術では、凹面の内側にＬＥＤが配置されているため、凹面を内側に寄せると凹面とＬＥＤとが干渉してしまい、レンズカット部から出射された光の照射範囲も限定されてしまうという問題がある。
【０００６】
本発明の目的は、入射面の位置に影響されることなく、光を広範囲に照射することができる導光体および車両用灯具を得ることである。
【課題を解決するための手段】
【０００７】
請求項１に記載の発明は、裏面側に光源が配置される底壁部と、前記底壁部のおもて面の周縁部に立設された第１の筒部と、前記底壁部の裏面に形成され、前記光源から出射された光の一部が入射する第１の入射面と、前記底壁部の裏面において前記第１の入射面の周囲に形成され、前記光源から出射された光の一部が入射する第２の入射面と、前記光源および前記第１の入射面を通り前記第１の筒部の中心軸線と略平行な光軸上に配置され、前記第１の入射面に入射した光が出射する第１の出射面と、前記第１の筒部の頂面に形成され、光が出射する第２の出射面と、前記第２の入射面に入射した光を前記光軸から離れる方向に反射する第１の反射面と、前記第１の反射面で反射された光を前記第２の出射面に向けて反射する第２の反射面と、を備えることを特徴とする導光体である。
【０００８】
請求項２に記載の発明は、請求項１に記載の導光体において、前記第１の出射面は、前記底壁部のおもて面に形成されて、前記第１の筒部の中心軸線上に位置しており、前記第２の出射面は、前記第１の筒部の頂面の全周に亘る環状に形成されていることを特徴とする。
【０００９】
請求項３に記載の発明は、請求項１に記載の導光体において、前記底壁部に対して離間した位置で前記第１の筒部の内部に配設され、前記底壁部を覆うカバー部材を備え、前記第１の出射面は、前記カバー部材に形成されていることを特徴とする。
【００１０】
請求項４に記載の発明は、請求項１又は３に記載の導光体において、前記底壁部のおもて面に立設され前記第１の筒部の内部に位置し前記第１の筒部と平行な第２の筒部と、前記第２の筒部の頂面の全周に亘る環状に形成され、光が出射する第３の出射面と、前記第１の反射面で反射された光を前記第３の出射面に向けて反射する第３の反射面と、を備え、前記第１の出射面は、前記第１の筒部の径方向で前記第１の筒部と前記第２の筒部との間に位置した状態で前記第１の筒部の周方向に沿って複数設けられ、前記第２の出射面は、前記第１の筒部の頂面の全周に亘る環状に形成されていることを特徴とする。
【００１１】
請求項５に記載の発明は、請求項１に記載の導光体において、前記底壁部のおもて面に立設され前記第１の筒部の内部に位置し前記第１の筒部と平行な第２の筒部と、前記第２の筒部の頂面の全周に亘る環状に形成され、光が出射するた第３の出射面と、前記第１の反射面で反射された光を前記第３の出射面に向けて反射する第３の反射面と、前記底壁部のおもて面に立設され前記第１の筒部と前記第２の筒部との間に位置し前記第１の筒部と平行な第３の筒部と、を備え、前記第１の出射面は、前記第３の筒部の頂面に第３の筒部の周方向に沿って複数形成され、前記第２の出射面は、前記第１の筒部の頂面の全周に亘る環状に形成されていることを特徴とする。
【００１２】
請求項６に記載の発明は、光源と、この光源から入射された光を出射する導光体と、を備える車両用灯具において、前記導光体は、裏面側に前記光源が配置される底壁部と、前記底壁部のおもて面の周縁部に立設された第１の筒部と、前記底壁部の裏面に形成され、前記光源から出射された光の一部が入射する第１の入射面と、前記底壁部の裏面において前記第１の入射面の周囲に形成され、前記光源から出射された光の一部が入射する第２の入射面と、前記光源および前記第１の入射面を通り前記第１の筒部の中心軸線と略平行な光軸上に配置され、前記第１の入射面に入射した光が出射する第１の出射面と、前記第１の筒部の頂面に形成され、光が出射する環状の第２の出射面と、前記第２の入射面に入射した光を前記光軸から離れる方向に反射する第１の反射面と、前記第１の反射面で反射された光を前記第２の出射面に向けて反射する第２の反射面と、を備え、前記導光体は、複数個設けられ、相互に隣接する前記導光体の前記第２の出射面の一部同士が前記光軸方向に重ねられていることを特徴とする車両用灯具である。
【発明の効果】
【００１３】
本発明によれば、第２の入射面から第２の出射面へ至る間に第１の反射面と第２の反射面とを備えることにより、入射面の位置に影響されることなく、光を広範囲に照射することができる。
【発明を実施するための最良の形態】
【００１４】
（第１の実施形態）本発明の第１の実施形態を図１ないし図７に基づいて説明する。図１は、本実施形態にかかる車両用灯具であるテールランプの断面図、図２は、導光体の斜視図、図３は、導光体の正面図、図４は、導光体の背面図、図５は、底壁部の拡大断面図、図６は、第２の出射面の拡大断面図、図７は、底壁部を通過する光路図である。
【００１５】
本実施形態のテールランプ１は、車体後部の左右両側にそれぞれ後ろ向き状態で配置されているものであるが、本実施形態ではその一方だけを代表して説明する。テールランプ１は、後方が開口した容器状のハウジング２と、ハウジング２内に設置される導光体３と、ハウジング２の底面に設置される光源としてのＬＥＤ（Light Emitting Diode：発光ダイオード）４と、ハウジング２の開口を塞ぐカバー５と、を備えて構成されている。
【００１６】
ＬＥＤ４は、導光体３の底壁部２５の裏面から離間した状態で、ハウジング２の底部に配置されている。
【００１７】
ハウジング２は、合成樹脂で形成されている。カバー５は、透明樹脂により形成されている。
【００１８】
導光体３は、メタクリル樹脂やボリカーボネート樹脂等の透明樹脂による単一成形品である。この導光体３は、図示せぬブラケットにより、ハウジング２に支持されている。
【００１９】
導光体３は、円盤状の底壁部６と、この底壁部６のおもて面の周縁部に立設された円筒状の単一の第１の筒部７と、を有している。底壁部６の中心軸線と第１の筒部７の中心軸線とは、一致している。この導光体３とＬＥＤ４との光軸とは、一致している。
【００２０】
導光体３には、主発光部として、ＬＥＤ４から出射された光の一部が入射する第１の入射面１１と、第１の入射面１１に入射した光が出射する第１の出射面８とが形成されている。また、導光体３には、副発光部として、ＬＥＤ４から出射された光の一部が入射する第２の入射面１２と、第２の入射面１２に入射した光が出射する第２の出射面１０と、第２の入射面１２に入射した光を第２の出射面１０へ導く第１および第２の反射面９，１３とが形成されている。
【００２１】
第１の入射面１１は、底壁部６の裏面の中心部に形成されている。第１の入射面１１には、フレネルプリズム形状が付与されている。このフレネルプリズム形状によって、第１の入射面１１は、ＬＥＤ４からの光を略平行光として第１の出射面８へ向ける。
【００２２】
第１の出射面８は、底壁部６のおもて面の中心部に形成さており、ＬＥＤ４および第１の入射面１１を通り第１の筒部７の中心軸線と略平行な光軸Ｋ上に位置している。なお、本実施形態では、光軸Ｋと第１の筒部７の中心軸線とは一致している。第１の出射面８には、光拡散手段である拡散プリズム形状が付与されている。拡散プリズム形状は、第１の出射面８から出射される光を拡散するものである。拡散プリズム形状は、簡単な形状であるため、導光体３の成形性の面で有利である。
【００２３】
第２の入射面１２は、底壁部６の裏面において第１の入射面１１の周囲に、第１の入射面１１を取り囲むように形成されている。この第２の入射面１２は、ＬＥＤ４からの光の入射角が９０°に近づく方向に傾斜したテーパ状になっている。
【００２４】
第２の出射面１０は、第１の筒部７の頂面に形成され、第１の筒部７の頂面の全周に亘る円環状をなしている。この第２の出射面１０は、光軸Ｋと直交する方向で第１の出射面８、第１の入射面１１および第１の反射面９から離間している。第２の出射面１０には、光拡散形状としての微細な凹凸（シボ形状）が付与されている。この凹凸は、第２の出射面１０から出射される光を拡散するものである。
【００２５】
第１の反射面９は、底壁部６のおもて面において第１の出射面８の周囲に形成されており、光軸Ｋと直交する方向で第１の出射面８と第２の出射面１０との間に位置している。この第１の反射面９は、第１の出射面８を取り囲むテーパ状になっており、内面側を反射面としている。第１の反射面９は、第２の入射面１２に入射した光を光軸Ｋから離れる方向に反射する。
【００２６】
第２の反射面１３は、底壁部６の裏面における周縁部に形成されている。この第２の反射面１３は、内面側を反射面としたテーパ状に形成されている。この第２の反射面１３は、第１の反射面９で反射された光を第２の出射面１０に向けて反射する。
【００２７】
このような構成において、ＬＥＤ４が点灯すると、ＬＥＤ４から出射された光のうち、第１の入射面１１に入射した光Ｌ１は、第１の入射面１１のフレネルプリズム形状により底壁部６内に平行光として入射する。光Ｌ１が平行光として底壁部６内に入射するため、入射した光Ｌ１は、他へ散乱することなく第１の出射面８に至ることとなり入射効率が向上する。
【００２８】
第１の入射面１１から平行光として底壁部６内に入射した光Ｌ１は、第１の出射面８の拡散プリズム形状により拡散されて導光体３の外部へ照射される。第１の出射面８には、光Ｌ１が平行光として入っているため、光Ｌ１の制御が容易である。すなわち、第１の出射面８の形状および拡散プリズム形状の程度により、必要な形状および拡散度合いの配光パターンを得ることができる。第１の出射面８から拡散状態で発光された光Ｌ１は、カバー５を透過した後、外部へ向けて所定の配光パターンで照射される。
【００２９】
一方、ＬＥＤ４から出射された光のうち、第２の入射面１２に入射する光Ｌ２は、第２の入射面１２がＬＥＤ４に対応した傾斜状態になっているため、確実に第２の入射面１２から底壁部６内に入ることとなり、反射による光の損失が小さい。
【００３０】
第２の入射面１２から底壁部６内に入った光は、底壁部６内において第１の反射面９および第２の反射面１３により反射された後、第１の筒部７内を進み第２の出射面１０から導光体３の外部へ照射される。第２の出射面１０には、光拡散形状としての微細凹凸（シボ形状）が付与されているため、第２の出射面１０からの光Ｌ２は、拡散された状態で、カバー５を経てから、導光体３の外部へ向けて円環状に照射される。第１の反射面９および第２の反射面１３によって、第２の入射面１２から入射した光Ｌ２の全てを第１の筒部７内へ導くため、底壁部６のおもて面のうち、第１の出射面８以外は、無発光部となっている。
【００３１】
以上説明した本実施形態では、光の照射範囲は、第１の出射面８に対する第２の出射面１０の位置で決まるが、この第２の出射面を第１の出射面８からどの程度離間させるかの設定には、第２の入射面１２の位置は、関係しない。
【００３２】
即ち、本実施形態によれば、第１の出射面８に加えて第２の出射面１０を備え、且つ、第２の入射面１２から第２の出射面１０へ至る間に第１の反射面９と第２の反射面１３とを備えるので、第２の入射面１２の位置に影響されることなく、光を広範囲に照射することができる。
【００３３】
また、本実施形態では、第１の出射面８が、底壁部６のおもて面に形成されて第１の筒部７の中心軸線上に位置しており、且つ、第２の出射面１０が、第１の筒部７の頂面の全周に亘る環状に形成されているので、第１の出射面８から出射する光Ｌ１の周りに第２の出射面１０からの光Ｌ２が照射される。
【００３４】
（第２の実施形態）次に、本発明の第２の実施形態を図８および図９に基づいて説明する。図８は、本実施形態にかかるテールランプの内部構造を示す断面図、図９は、導光体の正面図である。なお、本実施形態にかかるテールランプは、上記第１の実施形態と同様の構成要素を備えている。よって、それら同様の構成要素については、共通の符号を付すとともに重複する説明を省略する。
【００３５】
本実施形態にかかるテールランプ１４は、先の実施形態と略同様の導光体１５を利用しているが、本実施形態の導光体１５には、導光体１５の底壁部６を覆うカバー部材１７が設けられ、このカバー部材１７に第１の出射面１８が設けられている。そして、本実施形態では、先の実施形態の第１の出射面８に相当する部分である底壁部６のおもて面の中央部は、平坦な通過面１６となっている。
【００３６】
カバー部材１７は、円盤状に形成されて、底壁部６に対して離間した位置で第１の筒部７の内部に配設され、底壁部６を覆っている。カバー部材１７は、導光体１５の他の部分と同じ透明樹脂で形成され、図示せぬ保持部品を介して第１の筒部７に支持されている。
【００３７】
カバー部材１７のおもて面の中心部は、通過面１６に相当する範囲が円柱状の凸部１７ａとなっている。この凸部１７ａのおもて面が、第１の出射面１８となっている。この第１の出射面１８には、拡散プリズム形状が付与されている。
【００３８】
このような構成において、第１の入射面１１から平行光として入射した光Ｌ１は、通過面１６からそのまま平行光として照射された後、カバー部材１７の第１の出射面１８に付与された拡散プリズム形状により拡散されて、外部へ照射される。
【００３９】
以上説明した本実施形態によれば、導光体１５の底壁部６をカバー部材１７で塞ぐため、底壁部６への埃の付着などを防止することができる。
【００４０】
（第３の実施形態）次に、本発明の第３の実施形態を図１０および図１１に基づいて説明する。図１０は、本実施形態にかかるテールランプの内部構造を示す断面図、図１１は、導光体の正面図である。なお、本実施形態にかかるテールランプは、上記第１の実施形態と同様の構成要素を備えている。よって、それら同様の構成要素については、共通の符号を付すとともに重複する説明を省略する。
【００４１】
本実施形態に係るテールランプ１９は、２つの導光体２０と、２つのＬＥＤ４とを備えている。２の導光体２０とＬＥＤ４とは、図示せぬハウジングおよびカバー内に収納されている。２つの導光体２０は、光軸Ｋ同士が平行となるように配置されている。
【００４２】
導光体２０の第１の筒部２１は、底壁部６の板厚と略同じ長さに形成されており、全体として導光体２０が薄く形成されている。そして、２つの導光体２０における第２の出射面２２の一部同士を、光軸Ｋの方向に重ね合わせた構造になっている。
【００４３】
このような構成においては、図１１に示すように、２つの導光体２０の円環状の第２の出射面２２を重ねた表現の発光を作成することができ、広い面積で立体感のある発光を得ることができる。
【００４４】
（第４の実施形態）次に、本発明の第４の実施形態を図１２ないし図１４に基づいて説明する。図１２は、本実施形態にかかるテールランプの内部構造を示す断面図、図１３は、導光体の正面図、図１４は、導光体の背面図である。なお、本実施形態にかかるテールランプは、上記第１の実施形態と同様の構成要素を備えている。よって、それら同様の構成要素については、共通の符号を付すとともに重複する説明を省略する。
【００４５】
本実施形態に係るテールランプ２３の導光体２４は、円盤状の底壁部２５と、底壁部２５の周縁に立設された大径の円筒状の第１の筒部２６と、底壁部２５のおもて面に立設された小径の円筒状の第２の筒部２７と、を有している。第２の筒部２７は、第１の筒部２６の内部に位置し第１の筒部２６と平行である。底壁部２５のうち、小径の第２の筒部２７の内側の中央部２５ａは、両面が平坦な板形状をしている。
【００４６】
この導光体２４には、主発光部として、ＬＥＤ４から出射された光の一部が入射する第１の入射面３２と、第１の入射面３２に入射した光が出射する第１の出射面３０とが形成されている。また、導光体３には、副発光部として、ＬＥＤ４から出射された光の一部が入射する第２の入射面３３と、第２の入射面３３に入射した光が出射する第２および第３の出射面２８，２９と、第２の入射面３３に入射した光を第２の出射面２８や第３の出射面２９へ導く第１〜第３の反射面３１，３４，３５と、が形成されている。
【００４７】
第１の入射面３２は、底壁部２５の裏面に複数設けられている。これら第１の入射面３２は、第１の筒部２６の径方向で第１の筒部２６と第２の筒部２７との間に位置した状態で第１の筒部２６の周方向に沿って等間隔に設けられている。具体的には、本実施形態では、第１の入射面３２は、１８個設けられている。各第１の入射面３２は、円形に形成されている。第１の入射面３２には、フレネルプリズム形状が付与されている。これら第１の入射面３２毎に、ＬＥＤ４が設けられている。ＬＥＤ４は、各第１の入射面３２の真裏に配置されている。
【００４８】
第１の出射面３０は、各第１の入射面３２に対応させて底壁部２５のおもて面に形成されている。具体的には、第１の出射面３０は、第１の筒部２６の径方向で第１の筒部２６と第２の筒部２７との間に位置した状態で第１の筒部２６の周方向に沿って複数設けられている。この第１の出射面３０は、ＬＥＤ４および第１の入射面３２を通り第１の筒部２６の中心軸線と略平行な光軸Ｋ上に位置している。そして、この第１の出射面３０には、光拡散手段である拡散プリズム形状が付与されている。
【００４９】
第２の入射面３３は、底壁部２５の裏面において各第１の入射面３２の周囲に、第１の入射面３２を取り囲むように形成されている。この第２の入射面３３は、ＬＥＤ４からの光の入射角が９０°に近づく方向に傾斜したテーパ状になっている。
【００５０】
第２の出射面２８は、第１の筒部２６の頂面に形成される一方、第３の出射面２９は、第２の筒部２７の頂面に形成されている。これら第２および第３の出射面２８，２９は、第１および第２の筒部２６，２７の頂面の全周に亘る円環状をなしている。第２および第３の出射面２８，２９は、光軸Ｋと直交する方向で第１の出射面３０、第１の入射面３２および第１の反射面３１から離間している。第２および第３の出射面２８，２９には、光を拡散する光拡散形状としての微細な凹凸（シボ形状）が付与されている。
【００５１】
第１の反射面３１は、底壁部２５のおもて面において第１の出射面３０の周囲に形成されている。この第１の反射面３１は、第１の出射面３０を取り囲むテーパ状になっており、内面側を反射面としている。第１の反射面３１は、第２の入射面３３に入射した光を光軸Ｋから離れる方向に反射する。
【００５２】
第２および第３の反射面３４，３５は、底壁部２５の裏面における第１および第２の筒部２６，２７の基部に相当する部位に設けられ、底壁部２５の中心からの放射方向において、各第１の入射面３２を挟むように向き合って複数対形成されている。第２および第３の反射面３４，３５は、それらに対応する各光軸Ｋを中心とした円弧状に湾曲している。第２の反射面３４は、第１の反射面３１で反射された光Ｌ２を第２の出射面２８に向けて反射する一方、第３の反射面３５は、第１の反射面３１で反射された光Ｌ２を第３の出射面２９に向けて反射する。
【００５３】
このような構成において、ＬＥＤ４が点灯すると、ＬＥＤ４からの光のうち、第１の入射面３２に入射した光Ｌ１は、第１の入射面３２のフレネルプリズム形状により底壁部２５内に平行光として入射する。光Ｌ１が平行光として底壁部２５内に入射するため、入射した光Ｌ１は、他へ散乱することなく第１の出射面３０に至ることとなり入射効率が向上する。
【００５４】
第１の入射面３２から平行光として入射した光Ｌ１は、それぞれ第１の出射面３０の拡散プリズム形状により拡散されて、外部へ照射される。第１の出射面３０には、平行光として入っているため、光の制御が容易である。すなわち、第１の出射面３０の形状および拡散プリズム形状の程度により、必要な形状および拡散度合いの配光パターンを得ることができる。第１の出射面３０から拡散状態で発光された光Ｌ１は、図示せぬ素通しのカバーを透過した後、外部へ向けて所定の配光パターンで照射される。
【００５５】
一方、ＬＥＤ４からの光のうち、第２の入射面３３に入射する光Ｌ２は、第２の入射面３３がＬＥＤ４に対面した傾斜状態になっているため、確実に第２の入射面３３から第１の筒部２６と第２の筒部２７との間の底壁部２５内に入ることとなり、反射による光の損失が小さい。
【００５６】
第２の入射面３３から底壁部２５内に入った光は、底壁部２５内において、まず第１の反射面３１により、第１の筒部２６側と第２の筒部２７側とへ向けて反射される。第１および第２の筒部２６，２７側へ反射された光Ｌ２は、第２および第３の反射面３４，３５によりそれぞれ反射された後、第１および第２の筒部２６，２７に沿って第２および第３の出射面２８，２９から外部へ照射される。第２および第３の反射面３４，３５が各光軸Ｋを中心とした円弧状に湾曲しているため、第１の反射面３１で反射された光Ｌ２を散乱させることなく確実に各第１の筒部２６、２７側へ反射することができる。
【００５７】
各第２および第３の出射面２８，２９には、光拡散形状としての微細凹凸（シボ形状）が付与されているため、第２および第３の出射面２８，２９からの光Ｌ２は、拡散された状態で、図示せぬカバーを経てから、外部へ向けて二重円環状に照射される。第１の反射面３１、第２および第３の反射面３４，３５によって、第２の入射面３３から入射した光Ｌ２の全てを第１および第２の筒部２６，２７側へ導くため、底壁部２５のおもて面のうち、第１の出射面３０以外は、無発光部となっている。
【００５８】
以上説明したように、本実施形態では、第１および第２の筒部２６，２７の頂面に第２および第３の出射面２８，２９が形成され、それらの間に第１の出射面３０が形成されているので、第１の出射面３０から出射する光Ｌ１の周りに第２および第３の出射面２８，２９から出射した光が２重円環状に照射される。したがって、光を広範囲に照射することができる。
【００５９】
（第５の実施形態）次に、本発明の第５の実施形態を図１５ないし図１７に基づいて説明する。図１５は、本実施形態にかかるテールランプの内部構造を示す断面図、図１６は、導光体の正面図、図１７は、導光体の背面図である。なお、本実施形態にかかるテールランプは、上記第４の実施形態と同様の構成要素を備えている。よって、それら同様の構成要素については、共通の符号を付すとともに重複する説明を省略する。
【００６０】
本実施形態にかかるテールランプ３６は、第４の実施形態と略同様の導光体３７を利用しているが、本実施形態の導光体３７には、第１の筒部２６と第２の筒部２７との間に、それらの中間径を有する円筒状第３の筒部３８が底壁部４１のおもて面に形成されている。この第３の筒部３８は、第１および第２の筒部２６，２７と平行に立設されている。
【００６１】
そして、この第３の筒部３８の頂面に、各第１の入射面３２に対応した第１の出射面３９が第３の筒部３８の周方向に沿って等間隔で形成されている。第１の出射面３９には、拡散プリズム形状が付与されている。
【００６２】
なお、第１の反射面４０は、ＬＥＤ４の個々に対応して形成されたものでなく、第１および第２の筒部２６，２７からそれぞれ第３の筒部３８側へ向けて傾斜した形状になっている。即ち、第３の筒部３８の両側が第３の筒部３８の基部を谷とした状態で傾斜している。その他の構成は第４の実施形態と同様である。
【００６３】
本実施形態によれば、第１および第２の筒部２６，２７の頂面に第２および第３の出射面２８，２９が形成され、それらの間の第３の筒部３８の頂面に第１の出射面３９が形成されているので、第４の実施形態と同様に、第１の出射面３９から出射する光Ｌ１の周りに第２および第３の出射面２８，２９から出射した光が２重円環状に照射される。したがって、光を広範囲に照射することができる。
【００６４】
（第６の実施形態）次に、本発明の第６の実施形態を図１８および図１９に基づいて説明する。図１８は、本実施形態にかかるテールランプの内部構造を示す断面図、図１９は、導光体の正面図である。なお、本実施形態にかかるテールランプは、上記第４の実施形態と同様の構成要素を備えている。よって、それら同様の構成要素については、共通の符号を付すとともに重複する説明を省略する。
【００６５】
本実施形態にかかるテールランプ４２は、第４の実施形態と略同様の導光体４３を利用しているが、本実施形態の導光体４３には、導光体４３の底壁部６を覆うカバー部材４５が設けられ、このカバー部材４５に第１の出射面４６が設けられている。そして、本実施形態では、第４の実施形態の第１の出射面３０に相当する部分の底壁部２５のおもて面には、平坦な通過面４４が複数形成されている。
【００６６】
カバー部材４５は、円環状に形成されて、第１の筒部７の内部において第１の筒部２６，２７間に配設されている。カバー部材４５は、底壁部６に対して離間した位置に位置しており、底壁部２５を覆っている。カバー部材４５は、導光体４３の他の部分と同じ透明樹脂で形成され、図示せぬ保持部品を介して第１および第２の筒部２６，２７に支持されている。
【００６７】
カバー部材４５のおもて面には、各通過面１６に相当する位置に円柱状の凸部４５ａが形成されている。そして、この凸部４５ａのおもて面が、第１の出射面４６となっている。この第１の出射面１８には、拡散プリズム形状が付与されている。
【００６８】
このような構成において、第１の入射面３２から平行光として入射した光Ｌ１は、そのまま平行光として通過面４４を通過後、カバー部材４５の第１の出射面４６に付与された拡散プリズム形状により拡散されて、第１の出射面４６から導光体４３の外部へ照射される。
【００６９】
以上説明した本実施形態によれば、導光体４３の底壁部２５の一部をカバー部材４５で塞ぐため、底壁部２５への埃の付着などを防止することができる。
【００７０】
以上、本発明の好適な実施形態について説明したが、本発明は、上記各実施形態に限定されるものではなく、種々の変形が可能である。
【００７１】
例えば、上記各実施形態では、第１〜第３の筒部が円筒状に形成された例を示したが、これに限定されず、第１〜第３の筒部は、断面多角形状でも良い。
【００７２】
また、上記各実施形態では、第１の出射面に形成する光拡散形状として拡散プリズム形状の例を示したが、これに限定されず、第１の出射面に形成する光拡散形状としては、例えば、光をいったん収束させた後に拡散させる機能を有するフレネルプリズム形状でも良い。
【図面の簡単な説明】
【００７３】
【図１】本発明の第１の実施形態にかかる車両用灯具としてのテールランプを示す断面図。
【図２】導光体の斜視図。
【図３】導光体の正面図。
【図４】導光体の背面図。
【図５】底壁部の拡大断面図。
【図６】第２の出射面の拡大断面図。
【図７】底壁部を通過する光路図。
【図８】本発明の第２の実施形態に係るテールランプの内部構造を示す断面図。
【図９】導光体の正面図。
【図１０】本発明の第３の実施形態に係るテールランプの内部構造を示す断面図。
【図１１】導光体の正面図。
【図１２】本発明の第４の実施形態に係るテールランプの内部構造を示す断面図。
【図１３】導光体の正面図。
【図１４】導光体の背面図。
【図１５】本発明の第５の実施形態に係るテールランプの内部構造を示す断面図。
【図１６】導光体の正面図。
【図１７】導光体の背面図。
【図１８】本発明の第６の実施形態に係るテールランプの内部構造を示す断面図。
【図１９】導光体の正面図。
【符号の説明】
【００７４】
１，１４，１９，２３，３６，４２  テールランプ（車両用灯具）
３，１５，２０，２４，３７，４３  導光体
４  ＬＥＤ（光源）
６，２５，４１  底壁部
７，２６  第１の筒部
８，１８，３０，３９，４６  第１の出射面
９，３１，４０  第１の反射面
１０，２２，２８  第２の出射面
１１，３２  第１の入射面
１２，３３  第２の入射面
１３，３４  第２の反射面
１７、４５  カバー部材
２７  第２の筒部
２９  第３の出射面
３５  第３の反射面
３８  第３の筒部
Ｋ  光軸
Ｌ１，Ｌ２  光
【図１】
2008166072.tif 000003
【図２】
2008166072.tif 000004
【図３】
2008166072.tif 000005
【図４】
2008166072.tif 000006
【図５】
2008166072.tif 000007
【図６】
2008166072.tif 000008
【図７】
2008166072.tif 000009
【図８】
2008166072.tif 000010
【図９】
2008166072.tif 000011
【図１０】
2008166072.tif 000012
【図１１】
2008166072.tif 000013
【図１２】
2008166072.tif 000014
【図１３】
2008166072.tif 000015
【図１４】
2008166072.tif 000016
【図１５】
2008166072.tif 000017
【図１６】
2008166072.tif 000018
【図１７】
2008166072.tif 000019
【図１８】
2008166072.tif 000020
【図１９】
2008166072.tif 000021